(57)【要約】【課題】複数の発信装置から発せられた可視光を受光する場合における所持者への人的負担を軽減することができる可視光通信用受信装置を提供することを課題とする。【解決手段】本発明にかかる可視光通信用受信装置１００は、可視光通信で情報を受信する機能を搭載した携帯電話であり、可視光を受光し、受光した可視光に対応する電気信号を出力する複数の受光部１０２を備える。なお、各々の受光部１０２は、図示の如く、当該受光部１０２の向きを任意に変更することができるように当該可視光通信用受信装置１００に取り付けられている。【選択図】        図１
2007135144.tif 000002
【特許請求の範囲】
【請求項１】
可視光通信で情報を受信する可視光通信用受信装置において、
可視光を受光し、受光した可視光に対応する電気信号を出力する複数の受光手段
を備えたことを特徴とする可視光通信用受信装置。
【請求項２】
各々の前記受光手段は、その受光領域が互いに重ならないように配設されたこと
を特徴とする請求項１に記載の可視光通信用受信装置。
【請求項３】
各々の前記受光手段は、その向きを変更することが可能であること
を特徴とする請求項１または２に記載の可視光通信用受信装置。
【請求項４】
発信元の位置を表す位置情報を複数受信した場合、当該複数の位置情報に基づいて当該可視光通信用受信装置の位置を表す位置情報および当該可視光通信用受信装置の向きを表す向き情報を特定する特定手段
をさらに備えたことを特徴とする請求項１から３のいずれか１つに記載の可視光通信用受信装置。
【請求項５】
複数のコンテンツ情報および発信元を一意に識別するための識別情報を受信した場合、当該複数のコンテンツ情報の中から当該識別情報に対応するコンテンツ情報を選択する選択手段と、
前記選択手段で選択したコンテンツ情報を再生する再生手段と
をさらに備えたことを特徴とする請求項１から４のいずれか１つに記載の可視光通信用受信装置。
【請求項６】
可視光通信で情報を受信する可視光通信用受信装置において、
互いに重ならない波長範囲の可視光を選択的に透過する複数の透過手段と、
各々の前記透過手段を透過した可視光を受光し、受光した各々の可視光に対応する電気信号を出力する受光手段と
を備えたことを特徴とする可視光通信用受信装置。
【請求項７】
各々の前記透過手段は、互いに異なる向きに配設されたこと
を特徴とする請求項６に記載の可視光通信用受信装置。
【請求項８】
前記受光手段は、その向きを複数の前記透過手段と共に変更することが可能であること
を特徴とする請求項６または７に記載の可視光通信用受信装置。
【請求項９】
発信元の位置を表す位置情報を複数受信した場合、当該複数の位置情報に基づいて当該可視光通信用受信装置の位置を表す位置情報および当該可視光通信用受信装置の向きを表す向き情報を特定する特定手段
をさらに備えたことを特徴とする請求項６から８のいずれか１つに記載の可視光通信用受信装置。
【請求項１０】
複数のコンテンツ情報および発信元を一意に識別するための識別情報を受信した場合、当該複数のコンテンツ情報の中から当該識別情報に対応するコンテンツ情報を選択する選択手段と、
前記選択手段で選択したコンテンツ情報を再生する再生手段と
をさらに備えたことを特徴とする請求項６から９のいずれか１つに記載の可視光通信用受信装置。
【発明の詳細な説明】
【技術分野】
【０００１】
本発明は、可視光通信で情報を受信する可視光通信用受信装置に関するものである。
【背景技術】
【０００２】
発信装置と受信装置との間で可視光を用いて通信を行う技術である可視光通信では、通信相手となる発信装置を、受信装置を所持する所持者が目視で選択することを特徴とする。そして、可視光通信を行うためには、当該所持者は、通信相手となる発信装置を選択した後、さらに、発信装置から発せられた可視光を受信装置の受光部で受光できるように受信装置の向きを合わせる必要がある。
【０００３】
ここで、可視光や赤外光などによる光通信に関する技術として、特許文献１や特許文献２、特許文献３などが開示されている。
【０００４】
【特許文献１】特開２００３−３２４３８７号公報
【特許文献２】特開平１０−２６２０３１号公報
【特許文献３】特開平０８−０３７４９９号公報
【発明の開示】
【発明が解決しようとする課題】
【０００５】
しかしながら、これまでの技術では、複数の発信装置から発せられた可視光を受光する場合、所持者は、受信装置の向きを合わせる動作を発信装置の台数分繰り返し行わなければならないので、発信装置の台数が増えると共に当該所持者への人的負担（具体的には上述した発信装置を目視で選択する動作や受信装置の向きを合わせる動作）も増えるという問題点があった。
【０００６】
本発明は上記問題点に鑑みてなされたものであり、複数の発信装置から発せられた可視光を受光する場合における所持者への人的負担を軽減することができる可視光通信用受信装置を提供することを目的とする。
【課題を解決するための手段】
【０００７】
上記目的を達成するために、本発明にかかる請求項１に記載の可視光通信用受信装置は、可視光通信で情報を受信する可視光通信用受信装置において、可視光を受光し、受光した可視光に対応する電気信号を出力する複数の受光手段を備えたことを特徴とする。
【０００８】
また、本発明にかかる請求項２に記載の可視光通信用受信装置は、請求項１に記載の可視光通信用受信装置において、各々の前記受光手段は、その受光領域が互いに重ならないように配設されたことを特徴とする。
【０００９】
また、本発明にかかる請求項３に記載の可視光通信用受信装置は、請求項１または２に記載の可視光通信用受信装置において、各々の前記受光手段は、その向きを変更することが可能であることを特徴とする。
【００１０】
また、本発明にかかる請求項４に記載の可視光通信用受信装置は、請求項１から３のいずれか１つに記載の可視光通信用受信装置において、発信元の位置を表す位置情報を複数受信した場合、当該複数の位置情報に基づいて当該可視光通信用受信装置の位置を表す位置情報および当該可視光通信用受信装置の向きを表す向き情報を特定する特定手段をさらに備えたことを特徴とする。
【００１１】
また、本発明にかかる請求項５に記載の可視光通信用受信装置は、請求項１から４のいずれか１つに記載の可視光通信用受信装置において、複数のコンテンツ情報および発信元を一意に識別するための識別情報を受信した場合、当該複数のコンテンツ情報の中から当該識別情報に対応するコンテンツ情報を選択する選択手段と、前記選択手段で選択したコンテンツ情報を再生する再生手段とをさらに備えたことを特徴とする。
【００１２】
また、本発明にかかる請求項６に記載の可視光通信用受信装置は、可視光通信で情報を受信する可視光通信用受信装置において、互いに重ならない波長範囲の可視光を選択的に透過する複数の透過手段と、各々の前記透過手段を透過した可視光を受光し、受光した各々の可視光に対応する電気信号を出力する受光手段とを備えたことを特徴とする。
【００１３】
また、本発明にかかる請求項７に記載の可視光通信用受信装置は、請求項６に記載の可視光通信用受信装置において、各々の前記透過手段は、互いに異なる向きに配設されたことを特徴とする。
【００１４】
また、本発明にかかる請求項８に記載の可視光通信用受信装置は、請求項６または７に記載の可視光通信用受信装置において、前記受光手段は、その向きを複数の前記透過手段と共に変更することが可能であることを特徴とする。
【００１５】
また、本発明にかかる請求項９に記載の可視光通信用受信装置は、請求項６から８のいずれか１つに記載の可視光通信用受信装置において、発信元の位置を表す位置情報を複数受信した場合、当該複数の位置情報に基づいて当該可視光通信用受信装置の位置を表す位置情報および当該可視光通信用受信装置の向きを表す向き情報を特定する特定手段をさらに備えたことを特徴とする。
【００１６】
また、本発明にかかる請求項１０に記載の可視光通信用受信装置は、請求項６から９のいずれか１つに記載の可視光通信用受信装置において、複数のコンテンツ情報および発信元を一意に識別するための識別情報を受信した場合、当該複数のコンテンツ情報の中から当該識別情報に対応するコンテンツ情報を選択する選択手段と、前記選択手段で選択したコンテンツ情報を再生する再生手段とをさらに備えたことを特徴とする。
【発明の効果】
【００１７】
本発明にかかる請求項１に記載の可視光通信用受信装置によれば、可視光を受光し、受光した可視光に対応する電気信号を出力する複数の受光手段（具体的には受光素子（例えばフォトダイオード））を備えたので、複数の発信装置から発せられた可視光を受光する場合における所持者への人的負担を軽減することができるという効果を奏する。具体的には、所持者は本装置の向きを各々の発信装置に合わせる必要がほぼ無くなるので、複数の発信装置から情報を取得する際に行う所持者の動作を軽減することができるという効果を奏する。
【００１８】
また、本発明にかかる請求項２に記載の可視光通信用受信装置によれば、各々の受光手段（具体的には受光素子（例えばフォトダイオード））は、その受光領域が互いに重ならないように配設されたので、異なる方向から本装置へ到達した複数の可視光を、各々の受光手段で確実に受光することができるという効果を奏する。つまり、複数の受光手段を備えていることの利点を生かすことができるという効果を奏する。ここで、例えば或る受光手段の受光領域が他の受光手段の受光領域と一部重なり合う場合、或る発信装置から発せられた同一の可視光を複数の受光手段で受光し、結果的に複数の受光手段で１つの情報しか取得することができないという事態が起こり得る。しかし、これでは複数の受光手段を備えていることの利点が半減してしまう。そこで、本装置では、各々の受光手段を、その受光領域が互いに重ならないように配設したので、異なる方向から本装置へ到達した複数の可視光を、各々の受光手段で確実に受光することができ、複数の受光手段を備えていることの利点を生かすことができる。
【００１９】
また、本発明にかかる請求項３に記載の可視光通信用受信装置によれば、各々の受光手段は、その向きを変更することが可能であるので、複数の発信装置から発せられた可視光を受光する場合、所持者は各々の受光手段の向きを適宜変えればよく、本装置の向きを各々の発信装置に合わせる必要が無くなるので、複数の発信装置から情報を取得する際に行う所持者の動作をさらに軽減することができるという効果を奏する。
【００２０】
また、本発明にかかる請求項４に記載の可視光通信用受信装置によれば、発信元の位置情報を複数受信した場合、当該複数の位置情報に基づいて当該可視光通信用受信装置の位置を表す位置情報および当該可視光通信用受信装置の向きを表す向き情報を特定するので、所持者の位置だけでなく、所持者の向きも認識することができるという効果を奏する。これにより、本装置でナビゲーションなどのアプリケーションを実行することが可能となる。
【００２１】
また、本発明にかかる請求項５に記載の可視光通信用受信装置によれば、複数のコンテンツ情報および識別情報を受信した場合、当該複数のコンテンツ情報の中から当該識別情報に対応するコンテンツ情報を選択し、選択したコンテンツ情報を再生するので、所持者がこれから向おうとしている先に関するコンテンツ情報を当該可視光通信用受信装置を介して所持者に提供することができるという効果を奏する。
【００２２】
また、本発明にかかる請求項６に記載の可視光通信用受信装置によれば、互いに重ならない波長範囲の可視光を選択的に透過する複数の透過手段（具体的には光学フィルタ）と、各々の透過手段を透過した可視光を受光し、受光した各々の可視光に対応する電気信号を出力する受光手段（具体的には受光素子（例えばフォトダイオード））とを備えたので、複数の発信装置から発せられた可視光を受光する場合における所持者への人的負担を軽減することができるという効果を奏する。具体的には、所持者は本装置の向きを各々の発信装置に合わせる必要がほぼ無くなるので、複数の発信装置から情報を取得する際に行う所持者の動作を軽減することができるという効果を奏する。ここで、本装置では、複数の発信装置から発せられた各々の可視光を各々の透過手段を透過させることで各々の可視光の波長範囲の重複を無くしているので、透過した後の複数の可視光を１つの受光手段で受光することが可能となる。
【００２３】
また、本発明にかかる請求項７に記載の可視光通信用受信装置によれば、各々の透過手段は、互いに異なる向きに配設されたので、異なる方向から本装置へ到達した複数の可視光を、各々の透過手段を介して、受光手段で確実に受光することができるという効果を奏する。
【００２４】
また、本発明にかかる請求項８に記載の可視光通信用受信装置によれば、受光手段は、その向きを複数の透過手段と共に変更することが可能であるので、複数の発信装置から発せられた可視光を受光する場合、所持者は受光手段の向きを適宜変えればよく、本装置の向きを各々の発信装置に合わせる必要が無くなるので、複数の発信装置から情報を取得する際に行う所持者の動作をさらに軽減することができるという効果を奏する。
【００２５】
また、本発明にかかる請求項９に記載の可視光通信用受信装置によれば、発信元の位置情報を複数受信した場合、当該複数の位置情報に基づいて当該可視光通信用受信装置の位置を表す位置情報および当該可視光通信用受信装置の向きを表す向き情報を特定するので、所持者の位置だけでなく、所持者の向きも認識することができるという効果を奏する。これにより、本装置でナビゲーションなどのアプリケーションを実行することが可能となる。
【００２６】
また、本発明にかかる請求項１０に記載の可視光通信用受信装置によれば、複数のコンテンツ情報および識別情報を受信した場合、当該複数のコンテンツ情報の中から当該識別情報に対応するコンテンツ情報を選択し、選択したコンテンツ情報を再生するので、所持者がこれから向おうとしている先に関するコンテンツ情報を当該可視光通信用受信装置を介して所持者に提供することができるという効果を奏する。
【発明を実施するための最良の形態】
【００２７】
以下に、本発明にかかる可視光通信用受信装置の実施例（実施例１および実施例２）を図面に基づいて詳細に説明する。なお、これら実施例により本発明が限定されるものではない。
【実施例１】
【００２８】
ここでは、可視光通信用受信装置１００の実施例１を図面に基づいて詳細に説明する。
【００２９】
まず、本実施例１の可視光通信用受信装置１００の外観について図１を参照して説明する。図１は、本実施例１の可視光通信用受信装置１００の外観の一例を示す図である。図１に示すように、本実施例１の可視光通信用受信装置１００は、可視光通信で情報（具体的には、発信元の位置を座標で表す発信位置座標情報、映像や文字や音声などのコンテンツ情報、発信元を一意に識別するための識別情報（なお、当該識別情報は、後述するコンテンツ情報の選択や再生において、トリガーとしての役割を持つ。）、など）を受信する機能を搭載した携帯電話であり、後述する受光部１０２を複数備えていることを特徴とする。ここで、各々の受光部１０２は、図示の如く、その受光領域が互いに重ならないように本装置に配設されている。また、各々の受光部１０２は、図示の如く球状の筐体で覆われており、当該筐体を所持者が動かすことで当該受光部１０２の向きを任意に変更することができるように当該筐体と共に本装置に取り付けられている。なお、本実施例１の可視光通信用受信装置１００は可視光通信機能を搭載した携帯電話であるが、本発明の可視光通信用受信装置はこれに限定されることなく、可視光通信機能を搭載した携帯可能な通信装置であればよい。また、本実施例１の可視光通信用受信装置１００は２つの受光部１０２を備えているが、受光部１０２の数はこれに限定されるものではない。また、本実施例１の可視光通信用受信装置１００は２つの受光部１０２をそれぞれ図示の如く画面上部の側面および折れ曲がり部の側面に配設しているが、受光部１０２の配設位置はこれに限定されるものではない。また、本実施例１の各々の受光部１０２は球状の筐体で覆われているが、当該筐体の形状はこれに限定されるものではない。また、当該筐体の材質は可視光を透過するものである。
【００３０】
つぎに、本実施例１の可視光通信用受信装置１００の構成について図２を参照して説明する。図２は、本実施例１の可視光通信用受信装置１００の構成の一例を示す図である。図２に示すように、本実施例１の可視光通信用受信装置１００は、可視光（可視光信号）を受光し、受光した可視光に対応する電気信号を別々に出力する複数の受光部１０２と、各々の受光部１０２が出力した複数の電気信号を個別に復調することで情報（具体的には、発信位置座標情報、コンテンツ情報、識別情報、など）を取得する復調部１０４と、本装置の各部を統括的に制御する制御部１０６と、復調部１０４で取得した発信位置座標情報・コンテンツ情報・識別情報、後述する特定部１０６ａで特定した受信位置座標情報・受信方向ベクトル情報などを記憶する記憶部１０８と、を少なくとも備えている。なお、各部は任意の通信路を介して通信可能に接続されている。ここで、各々の受光部１０２は、具体的にはフォトダイオードなどの受光素子である。また、制御部１０６は、復調部１０４で発信位置座標情報を複数取得した場合、当該複数の発信位置座標情報に基づいて当該可視光通信用受信装置１００の位置を座標で表す受信位置座標情報および当該可視光通信用受信装置１００の向きをベクトルで表す受信方向ベクトル情報を特定する特定部１０６ａと、復調部１０４で複数のコンテンツ情報（具体的には、識別情報と対応付けられたコンテンツ情報）および識別情報を取得した場合、当該複数のコンテンツ情報の中から当該識別情報に対応するコンテンツ情報を選択する選択部１０６ｂと、選択部１０６ｂで選択したコンテンツ情報を映像や文字や音声などで再生する再生部１０６ｃと、をさらに備えている。
【００３１】
以上の構成において、実施例１の可視光通信用受信装置１００が行う位置・方向特定処理およびコンテンツ選択・再生処理について図３や図６などを参照して説明する。まず、実施例１の可視光通信用受信装置１００が行う位置・方向特定処理について図３などを参照して説明する。図３は、実施例１の可視光通信用受信装置１００が行う位置・方向特定処理の一例を示すフローチャートである。
【００３２】
まず、各々の受光部１０２で、当該受光部１０２に到達した可視光を受光し、受光した各々の可視光に対応する電気信号を出力する（ステップＳＡ−１）。
【００３３】
つぎに、復調部１０４で、ステップＳＡ−１で出力した各々の電気信号を復調することで複数の発信位置座標情報を取得し、制御部１０６で、取得した複数の発信位置座標情報を記憶部１０８の所定の記憶領域に格納する（ステップＳＡ−２）。これにより、可視光通信用受信装置１００は可視光通信で複数の発信位置座標情報を受信することができた。
【００３４】
つぎに、特定部１０６ａで、ステップＳＡ−２で取得した複数の発信位置座標情報に基づいて受信位置座標情報および受信方向ベクトル情報を特定し、特定した受信位置座標情報および受信方向ベクトル情報を記憶部１０８の所定の記憶領域に格納する（ステップＳＡ−３）。
【００３５】
具体的には、図４に示すように、天井に取り付けられた照明兼発信装置（可視光通信機能を搭載した照明器具）から発信された照明位置座標情報（当該照明兼発信装置の位置を座標で表す情報）およびサイン兼発信装置（可視光通信機能を搭載したサイン表示装置）から発信されたサイン位置座標情報（当該サイン兼発信装置の位置を座標で表す情報）を可視光通信用受信装置１００が受信した場合、ステップＳＡ−３では、特定部１０６ａで、受信した照明位置座標情報を受信位置座標情報として特定すると共に、受信した照明位置座標情報とサイン位置座標情報との差ベクトルを算出し、算出した差ベクトルを受信方向ベクトル情報（図４に示す、進行方向を表す矢印を参照）として特定する。なお、図５に示すように、床面に取り付けられた床面イルミネーション兼発信装置（可視光通信機能を搭載した床面イルミネーション装置）から発信された床面位置座標情報（当該床面イルミネーション兼発信装置の位置を座標で表す情報）を可視光通信用受信装置１００が受信した場合、ステップＳＡ−３では、特定部１０６ａで、受信した床面位置座標情報を受信位置座標情報として特定してもよい。
【００３６】
つぎに、実施例１の可視光通信用受信装置１００が行うコンテンツ選択・再生処理について図６などを参照して説明する。図６は、実施例１の可視光通信用受信装置１００が行うコンテンツ選択・再生処理の一例を示すフローチャートである。
【００３７】
まず、各々の受光部１０２で、当該受光部１０２に到達した可視光を受光し、受光した各々の可視光に対応する電気信号を出力する（ステップＳＢ−１）。
【００３８】
つぎに、復調部１０４で、ステップＳＢ−１で出力した各々の電気信号を復調することでコンテンツ情報群（複数のコンテンツ情報からなる情報群）および識別情報を取得し、制御部１０６で、取得したコンテンツ情報群および識別情報を記憶部１０８の所定の記憶領域に格納する（ステップＳＢ−２）。これにより、可視光通信用受信装置１００は可視光通信でコンテンツ情報群および識別情報を受信することができた。
【００３９】
つぎに、選択部１０６ｂで、ステップＳＢ−２で取得したコンテンツ情報群の中から、ステップＳＢ−２で取得した識別情報に対応するコンテンツ情報を選択し（ステップＳＢ−３）、再生部１０６ｃで、ステップＳＢ−３で選択したコンテンツ情報を映像や文字や音声などで再生する（ステップＳＢ−４）。
【００４０】
具体的には、図７に示すように、或る天井に取り付けられた照明兼発信装置Ｘから発信されたコンテンツ情報群（具体的には、照明兼発信装置Ｘの周辺に設置された複数のサイン兼発信装置（図８ではサイン兼発信装置Ａおよびサイン兼発信装置Ｂ）に関するコンテンツ情報群（図８ではサイン兼発信装置Ａに関するコンテンツ情報およびサイン兼発信装置Ｂに関するコンテンツ情報））およびサイン兼発信装置から発信された識別情報（図８ではサイン兼発信装置Ａから発信された当該装置ＡのＩＤ）を可視光通信用受信装置１００が受信した場合、ステップＳＢ−３では、選択部１０６ｂで、受信したコンテンツ情報群の中から、受信した識別情報に対応するコンテンツ情報を選択し、ステップＳＢ−４では、再生部１０６ｃで、選択部１０６ｂで選択したコンテンツ情報（図８ではサイン兼発信装置Ａに関するコンテンツ情報）を映像や文字や音声などで再生する。
【００４１】
以上、実施例１の可視光通信用受信装置１００が行う位置・方向特定処理およびコンテンツ選択・再生処理について説明したが、図８および図９に示すように、入口ゲートの天井に取り付けられた照明兼発信装置から発信された当該照明兼発信装置の設置場所を表す照明設置場所情報（具体的には「ここは入口ゲート」という情報）およびサイン兼発信装置から発信された当該サイン兼発信装置の設置場所を表すサイン設置場所情報（具体的には「この先は近代美術展示」や「この先は出口」という情報）を可視光通信用受信装置１００が受信した場合、制御部１０６で、受信した照明設置場所情報やサイン設置場所情報を、当該可視光通信用受信装置１００の画面に映像や文字で表示したり音声で再生したりしてもよい。これにより、当該可視光通信用受信装置１００の所持者は、自分の居る場所やこれから向う先に関する情報を、当該可視光通信用受信装置１００を介して取得することができる。
【００４２】
以上説明したように、実施例１の可視光通信用受信装置１００によれば、複数の受光部１０２を備えたので、複数の発信装置から発せられた可視光を受光する場合における所持者への人的負担を軽減することができる。具体的には、所持者は当該可視光通信用受信装置１００の向きを各々の発信装置に合わせる必要がほぼ無くなるので、複数の発信装置から情報を取得する際に行う所持者の動作を軽減することができる。
【００４３】
ここで、可視光通信では、情報を受信する人が、視覚により発信源の光を認識した上で通信相手を選択し、通信を行うことが特徴である。そのためには、カメラのファインダーに被写体を収めるが如く、受信装置の受光部が、選択した発信装置の発光部からの光を受けるように、向きを合わせる動作が必要となる。しかし、情報を発する光源は、照明であったり、交通信号機であったり、電子機器のインジケータランプであったり様々なものが想定され、光源の位置も利用者に対して様々な方向を取り得る。また、受信装置としてカメラ付携帯端末や携帯電話の様な形状の物を想定すると、モニタ画面を見ながら受信を行う場合に、情報を受信する人は不自然な姿勢になる可能性が高い。そこで、実施例１の可視光通信用受信装置１００では、複数の受光部１０２を備えたので、受信する行為と情報を参照する行為とを無理なく結び付けることができる。なお、単独の発信装置から発せられた情報を任意の受光部１０２で受信してもよい。
【００４４】
また、実施例１の可視光通信用受信装置１００によれば、各々の受光部１０２は、その受光領域が互いに重ならないように配設されたので、異なる方向から本装置へ到達した複数の可視光を、各々の受光部１０２で確実に受光することができる。つまり、複数の受光部１０２を備えていることの利点を生かすことができる。ここで、例えば或る受光部１０２の受光領域が他の受光部１０２の受光領域と一部重なり合う場合、或る発信装置から発せられた同一の可視光を複数の受光部１０２で受光し、結果的に複数の受光部１０２で１つの情報しか取得することができないという事態が起こり得る。しかし、これでは複数の受光部１０２を備えていることの利点が半減してしまう。そこで、当該可視光通信用受信装置１００では、各々の受光部１０２を、その受光領域が互いに重ならないように配設したので、異なる方向から本装置へ到達した複数の可視光を、各々の受光部１０２で確実に受光することができ、複数の受光部１０２を備えていることの利点を生かすことができる。
【００４５】
また、実施例１の可視光通信用受信装置１００によれば、各々の受光部１０２は、その向きを変更することが可能である。換言すると、各々の受光部１０２は、それぞれ独立した受光範囲を設置することができる。これにより、複数の発信装置から発せられた可視光を受光する場合、所持者は各々の受光部１０２の向きを適宜変えればよく、当該可視光通信用受信装置１００の向きを各々の発信装置に合わせる必要が無くなるので、複数の発信装置から情報を取得する際に行う所持者の動作をさらに軽減することができる。換言すると、所持者は、当該可視光通信用受信装置１００の向きを大きく変えることなく、各々の受光部１０２の向きを様々に変えればよいので、受信のための操作を楽な姿勢で行うことができる。
【００４６】
また、実施例１の可視光通信用受信装置１００によれば、発信位置座標情報を複数受信した場合、特定部１０６ａで、受信した複数の発信位置座標情報に基づいて受信位置座標情報および受信方向ベクトル情報を特定する。具体的には、上記で図４および図５を参照して説明したように、上方（例えば天井）や下方（例えば床面）から発せられた発信位置座標情報と前方（壁面やポールなどに取り付けられたサイン看板など）から発せられた発信位置座標情報とを組み合わせることにより、受信位置座標情報と受信方向ベクトル情報を特定する。これにより、所持者の位置だけでなく、所持者の向きも認識することができる。換言すると、１次元的な位置のみではなく、さらに、向いている方向まで認識することが容易となる。これにより、当該可視光通信用受信装置１００でナビゲーションなどのアプリケーションを実行することが可能となる。つまり、当該可視光通信用受信装置１００によれば、複数の情報の組み合わせにより、より詳細で的確な情報選択を行うことができる。
【００４７】
また、実施例１の可視光通信用受信装置１００によれば、コンテンツ情報群および識別情報を受信した場合、選択部１０６ｂで、受信したコンテンツ情報群の中から、受信した識別情報に対応するコンテンツ情報を選択し、再生部１０６ｃで、選択部１０６ｂで選択したコンテンツ情報を映像や文字や音声などで再生する。具体的には、上記で図７を参照して説明したように、上方（例えば天井）から発せられたコンテンツ情報群および前方（壁面やポールなどに取り付けられたサイン看板など）から発せられたＩＤを受信した場合、受信したコンテンツ情報群の中から当該ＩＤに対応するコンテンツ情報を選択し、再生する。これにより、所持者がこれから向おうとしている先に関するコンテンツ情報を当該可視光通信用受信装置１００を介して所持者に提供することができる。また、例えば、図７において、上方（例えば天井）から発せられたコンテンツ情報群を先に受信し、前方（壁面やポールなどに取り付けられたサイン看板など）から発せられた識別情報を後に受信した場合、識別情報を受信したタイミングでコンテンツ情報の選択・再生を実行する。つまり、識別情報をトリガーとして、コンテンツ情報の選択・再生を実行する。これにより、所持者がこれから向おうとしている先に関するコンテンツ情報を、適切なタイミングで、当該可視光通信用受信装置１００を介して所持者に提供することができる。
【００４８】
また、実施例１の可視光通信用受信装置１００によれば、図８および図９で示すように、所持者がゲートを通過する方向を検知することができる。これまで、単一の受光部しか持たない受信装置で所持者のゲート通過（入場・退場）の方向を検知する場合、ゲート内外で独立した発信装置を予め設け、さらに互いの発信装置が光学的に干渉しないように各発信装置の配光を予め調整した上で、受信装置がゲートの外側および内側で互いに異なる２つの位置情報を受信し、受信した２つの位置情報を時系列的に処理することで、所持者がゲートを通過する方向を検知していた。しかし、実施例１の可視光通信用受信装置１００によれば、発信装置のレイアウトの無理な制約を科すことなく、当該可視光通信用受信装置１００の位置と方向を特定することができる。
【実施例２】
【００４９】
ここでは、可視光通信用受信装置１００の実施例２を図面に基づいて詳細に説明する。なお、本実施例２では、上述した実施例１の説明と重複する説明を省略する場合がある。
【００５０】
まず、本実施例２の可視光通信用受信装置１００の外観について図１０を参照して説明する。図１０は、本実施例２の可視光通信用受信装置１００の外観の一例を示す図である。図１０に示すように、本実施例２の可視光通信用受信装置１００は、可視光通信で情報を受信する機能を搭載した携帯電話であり、１つの受光部１０２と共に、さらに、後述する透過部１１０を複数備えていることを特徴とする。ここで、受光部１０２および複数の透過部１１０は、図示の如く球状の筐体で覆われており、当該筐体を所持者が動かすことで当該受光部１０２の向きを複数の透過部１１０と連動して任意に変更することができるように当該筐体と共に本装置に取り付けられている。
【００５１】
つぎに、本実施例２の可視光通信用受信装置１００の構成について図１１および図１２を参照して説明する。図１１は、本実施例２の可視光通信用受信装置１００の構成の一例を示す図である。図１１に示すように、本実施例２の可視光通信用受信装置１００は、受光部１０２と、復調部１０４と、制御部１０６と、記憶部１０８と、図示の如く受光部１０２の近傍に配設された複数の透過部１１０と、を少なくとも備えている。ここで、受光部１０２は、具体的には複数波長対応型の受光素子であり、各々の透過部１１０を透過した可視光を受光し、受光した各々の可視光に対応する電気信号を出力する。また、各々の透過部１１０は具体的には光学フィルタであり、互いに重ならない波長範囲の可視光を選択的に透過する。
【００５２】
ここで、本発明の特徴部分である受光部１０２および透過部１１０の構成について図１２で説明する。図１２は、実施例２の受光部１０２および透過部１１０の構成の一例を示す図である。図１２に示すように、各々の透過部１１０は、互いに異なる向きで、受光部１０２の近傍に配設されている。これにより、各々の透過部１１０（図１２に示す、本装置の前方から本装置へ到達した可視光を透過することができるように受光部１０２の近傍に配設された、青色の可視光のみを透過する透過部１１０、本装置の上方から本装置へ到達した可視光を透過することができるように受光部１０２の近傍に配設された、赤色の可視光のみを透過する透過部１１０）で、異なる方向から本装置へ到達した複数の可視光（図１２に示す上方からの可視光信号、前方からの可視光信号）を波長（色）の違いにより分離することができ、その結果、単一の受光部１０２で、透過部１１０を透過した複数の可視光を受光して、独立した電気信号を取り出すことができる。ここで、本実施例２の可視光通信用受信装置１００は２つの透過部１１０を備えているが、透過部１１０の数はこれに限定されるものではない。また、各々の透過部１１０の配設位置は、図１１や図１２に示す位置に限定されるものではない。
【００５３】
以上の構成において、実施例２の可視光通信用受信装置１００で行われる位置・方向特定処理およびコンテンツ選択・再生処理については、図３におけるステップＳＡ−１および図６におけるステップＳＢ−１を除いて同じであるため、ここでは、上述したステップＳＡ−２およびステップＳＡ−３ならびに上述したステップＳＢ−２、ステップＳＢ−３およびステップＳＢ−４の説明を省略し、図３におけるステップＳＡ−１および図６におけるステップＳＢ−１に代わる処理のみを説明する。
【００５４】
まず、受光部１０２で、各々の透過部１１０を透過した、互いに波長範囲（色）が異なる複数の可視光を受光し、受光した各々の可視光に対応する電気信号を個別に出力する。
【００５５】
以上説明したように、実施例２の可視光通信用受信装置１００によれば、１つの受光部１０２の他に、複数の透過部１１０をさらに備えたので、複数の発信装置から発せられた可視光を受光する場合における所持者への人的負担を軽減することができる。具体的には、所持者は当該可視光通信用受信装置１００の向きを各々の発信装置に合わせる必要がほぼ無くなるので、複数の発信装置から情報を取得する際に行う所持者の動作を軽減することができる。ここで、本装置では、複数の発信装置から発せられた各々の可視光を各々の透過部１１０を透過させることで各々の可視光の波長範囲の重複を無くしているので、透過した後の複数の可視光を１つの受光部１０２で受光することが可能となる。
【００５６】
また、実施例２の可視光通信用受信装置１００によれば、各々の透過部１１０は、互いに異なる向きに配設されたので、異なる方向から本装置へ到達した複数の可視光を、各々の透過部１１０を介して、受光部１０２で確実に受光することができる。
【００５７】
また、実施例２の可視光通信用受信装置１００によれば、受光部１０２は、その向きを複数の透過部１１０と共に変更することが可能であるので、複数の発信装置から発せられた可視光を受光する場合、所持者は受光部１０２の向きを適宜変えればよく、本装置の向きを各々の発信装置に合わせる必要が無くなるので、複数の発信装置から情報を取得する際に行う所持者の動作をさらに軽減することができる。
【００５８】
また、実施例２の可視光通信用受信装置１００によれば、発信位置座標情報を複数受信した場合、特定部１０６ａで、受信した複数の発信位置座標情報に基づいて受信位置座標情報および受信方向ベクトル情報を特定するので、所持者の位置だけでなく、所持者の向きも認識することができる。
【００５９】
また、実施例２の可視光通信用受信装置１００によれば、コンテンツ情報群および識別情報を受信した場合、選択部１０６ｂで、受信したコンテンツ情報群の中から、受信した識別情報に対応するコンテンツ情報を選択し、再生部１０６ｃで、選択部１０６ｂで選択したコンテンツ情報を映像や文字や音声などで再生するので、所持者がこれから向おうとしている先に関するコンテンツ情報を、当該可視光通信用受信装置１００を介して所持者に提供することができる。
【産業上の利用可能性】
【００６０】
以上のように、本発明にかかる可視光通信用受信装置は、具体的には、可視光通信で情報を発信する照明装置やサイン看板などを設置する空港や駅、大規模施設、街頭、イベント会場、美術館などで好適に実施することができ、極めて有用である。
【図面の簡単な説明】
【００６１】
【図１】実施例１の可視光通信用受信装置１００の外観の一例を示す図である。
【図２】実施例１の可視光通信用受信装置１００の構成の一例を示す図である。
【図３】実施例１の可視光通信用受信装置１００が行う位置・方向特定処理の一例を示すフローチャートである。
【図４】実施例１の可視光通信用受信装置１００の実施態様の一例を示す図である。
【図５】実施例１の可視光通信用受信装置１００の実施態様の一例を示す図である。
【図６】実施例１の可視光通信用受信装置１００が行うコンテンツ選択・再生処理の一例を示すフローチャートである。
【図７】実施例１の可視光通信用受信装置１００の実施態様の一例を示す図である。
【図８】実施例１の可視光通信用受信装置１００の実施態様の一例を示す図である。
【図９】実施例１の可視光通信用受信装置１００の実施態様の一例を示す図である。
【図１０】実施例２の可視光通信用受信装置１００の外観の一例を示す図である。
【図１１】実施例２の可視光通信用受信装置１００の構成の一例を示す図である。
【図１２】実施例２の受光部１０２および透過部１１０の構成の一例を示す図である。
【符号の説明】
【００６２】
１００  可視光通信用受信装置
１０２  受光部
１０４  復調部
１０６  制御部
１０６ａ  特定部
１０６ｂ  選択部
１０６ｃ  再生部
１０８  記憶部
１１０  透過部
【図１】
2007135144.tif 000003
【図２】
2007135144.tif 000004
【図３】
2007135144.tif 000005
【図４】
2007135144.tif 000006
【図５】
2007135144.tif 000007
【図６】
2007135144.tif 000008
【図７】
2007135144.tif 000009
【図８】
2007135144.tif 000010
【図９】
2007135144.tif 000011
【図１０】
2007135144.tif 000012
【図１１】
2007135144.tif 000013
【図１２】
2007135144.tif 000014